(57)【要約】【課題】スプレーヤーを正立状態にしたまゝで手首を不自然に曲げる必要もなく、薬液の噴射方向を所望の向きへ広角度で変更することが可能で、製造コストの増加も最少限で済む広角度噴射角可変ノズルヘッド付きトリガースプレー装置を提供することを課題とする。【解決手段】トリガーレバー（１２）とこれによって作動せしめられるポンプ機構とを具備するトリガースプレーボディー（１１）に対して、ノズルヘッド（１５）を広角度で首振り変位可能なように取り付けたことを特徴とする。ノズルヘッド（１５）は、トリガースプレーボディー（１１）に対して、蛇腹体（１６）により連結したり、或いはまた、針金（１８）を内蔵する可撓性のチューブ体（１７）により連結したりすることが可能である。【選択図】図１
2005066497.tif 000002
【特許請求の範囲】
【請求項１】
トリガーレバー（１２）とこれによって作動せしめられるポンプ機構とを具備するトリガースプレーボディー（１１）に対して、ノズルヘッド（１５）を広角度で首振り変位可能なように取り付けたことを特徴とする広角度噴射角可変ノズルヘッド付きトリガースプレー装置（１）。
【請求項２】
トリガースプレーボディー（１１）に対して、ノズルヘッド（１５）を蛇腹体（１６）により連結したことを特徴とする請求項１に記載の広角度噴射角可変ノズルヘッド付きトリガースプレー装置。
【請求項３】
トリガースプレーボディー（１１）に対して、ノズルヘッド（１５）を、針金（１８）を内蔵する可撓性のチューブ体（１７）により連結したことを特徴とする請求項１に記載の広角度噴射角可変ノズルヘッド付きトリガースプレー装置。
【発明の詳細な説明】
【技術分野】
【０００１】
本発明は、トリガースプレー装置の改良に関し、特に、ノズルヘッドの向きを広角度に変更可能なトリガースプレー装置に関するものである。
【背景技術】
【０００２】
トイレの便器の内面や浴槽の内面にそれらの洗浄液等を噴き付けるためには、通常、それらの薬液を入れたボトルの口部にトリガースプレー装置を取り付けたスプレーヤーが使用されている。
これらのスプレーヤーは、通常、薬液ボトルを下にした正立状態で使用するように作られており、これを倒立させて薬液ボトルを上にしたり、横向き状態にして使用すると、トリガースプレー装置から薬液ボトル内へ伸びる薬液吸上げチューブの下端の吸込み口が薬液に浸からなくなり、薬液を噴射することができなくなってしまう。
【０００３】
然しながら、トイレの便器の内部など狭い空間にスプレーヤーを正立状態で差し入れて便器の内面に万遍なく薬液を噴き付けることは非常に困難であるため、正立状態でも倒立状態でも使用できる機構を有するスプレーヤーが、例えば下記の特許文献１に開示されている。
【０００４】
【特許文献１】特開２０００−１６１２０６号公報
【０００５】
然しながら、特許文献１に示されるような正倒立両用のスプレーヤーは、トリガースプレー装置内のポンプと薬剤吸上げチューブとの間に複雑な構造を必要とし、大幅なコストアップを余儀なくされる。また、横倒し状態にすると薬液の噴射が困難になる。
【０００６】
これとは別に、薬液ボトルに対するトリガースプレー装置全体の角度を調整可能なように構成したスプレーヤーが、例えば下記の特許文献２に開示されている。
【０００７】
【特許文献２】特開平１０−２５８８６５号公報
【０００８】
然しながら、この特許文献２に示されるスプレーヤーでは、薬液ボトル（容器本体）に対するトリガースプレー装置（トリガースプレー部材）の角度は調整可能であっても、トリガースプレー装置を握っている使用者の手先とトリガースプレー装置との位置関係は不変、即ち、使用者の手先の向きと薬液の噴射の向きとの関係は常に一定であるので、便器の内部など狭い空間の内壁面に万遍なく薬液を噴き付けようとすると、手首を不自然に曲げなければならない場合がある。
【発明の開示】
【発明が解決しようとする課題】
【０００９】
本発明は、上記の如き従来のスプレーヤーの問題点を解決するためなされたものであり、その目的とするところは、スプレーヤーを正立状態にしたまゝ、且つ、手首を不自然に曲げる必要もなく、薬液の噴射方向を広角度で変更することが可能であり、製造コストの増加も最少限で済むトリガースプレー装置を提供することにある。
【課題を解決するための手段】
【００１０】
上記の目的は、トリガーレバーとこれによって作動せしめられるポンプ機構とを具備するトリガースプレーボディーに対して、ノズルヘッドを広角度で首振り変位可能なように取り付けたことを特徴とする広角度噴射角可変ノズルヘッド付きトリガースプレー装置によって達成できる。
その場合、トリガースプレーボディーに対して、ノズルヘッドを蛇腹体により連結したり、或いはまた、針金を内蔵する可撓性のチューブ体により連結したりすることが可能である。
【発明の効果】
【００１１】
上記の如き構成であると、スプレーヤーは正立状態のまま、ノズルヘッドの向きを変えるだけで薬液の噴射方向を自在に変更することが可能であるので、狭い空間内等でも手首に無理な負担をかけることなく任意の方向に薬液を噴射でき、使用勝手が大幅に改善されると共に、複雑な機構を必要としないので、部品点数の増加は少なく、生産ラインの改造も最低限で済み、従って、生産コストの増加も少なくて済むという作用、効果を奏するものである。
【発明を実施するための最良の形態】
【００１２】
以下、図面を参照しつゝ本発明を具体的に説明する。
図１は、本発明に係る広角度噴射角可変ノズルヘッド付きトリガースプレー装置の一実施例を、そのノズルヘッドを前方向に向けた状態において示す要部破断正面図、図２は、そのノズルヘッドを上方向に向けた状態において示す正面図、図３は、本発明に係る広角度噴射角可変ノズルヘッド付きトリガースプレー装置のもう一つの実施例を、そのノズルヘッドを前方向に向けた状態において示す要部破断正面図、図４は、そのノズルヘッドを上方向に向けた状態において示す正面図である。
【００１３】
まず、図１及び図２に示す実施例について説明する。
図１及び図２中、１はトリガースプレー装置、１１はトリガースプレーボディー、１２はトリガーレバー、１３はキャップ、１４は薬液吸上げチューブ、１５はノズルヘッド、１６は蛇腹体である。
【００１４】
図示する如く、トリガースプレーボディー１１の底部には、キャップ１３が取り付けられ、このキャップ１３を、図では省略した薬液ボトルの口部にねじ付けることによって、トリガースプレー装置１全体が薬液ボトルに取り付けられるようになっている。
トリガースプレーボディー１１の内部には、ポンプ機構（図では省略）が内蔵され、トリガーレバー１２を操作することによって当該ポンプ機構が作動せしめられ、薬液ボトル内の薬液が薬液吸上げチューブ１４を通じて吸い上げられて、ノズルヘッド１５の先端から噴射されるようになっている。
【００１５】
図１及び図２に示した実施例においては、ノズルヘッド１５は蛇腹体１６によってトリガースプレーボディー１１の先端に取り付けられており、ノズルヘッド１５の向きを自由に調整することが可能なようになっている。例えば図２は、ノズルヘッド１５を真上方向に向けた状態を示しており、蛇腹体１６がノズルヘッド１５の向きに応じて変形する状態が示されている。
【００１６】
蛇腹体１６は、例えばポリエチレン、ポリプロピレン等の、或る程度の硬度と或る程度の軟度とを有する合成樹脂等の材料で作製され、蛇腹体を所望の方向へ曲げたとき、その曲げられた状態を維持し得る一定の保形性を有するように構成される。
また、蛇腹体１６は、そのトリガースプレーボディー側に設けた上下各１本の取付けロッド部１６ｂを、トリガースプレーボディー１１に明けた細いスライドガイド穴１１ｂに挿入することにより、トリガースプレーボディー１１に取り付けられるようになっている。
トリガースプレーボディー１１内のポンプ機構から送出された薬液は、トリガースプレーボディー１１内の流路１１ａ、蛇腹体１６の内部流路１６ａ、ノズルヘッド１５内の流路１５ａを通じてノズルヘッドの先端から噴射される。
【００１７】
次に、図３及び図４に示す実施例について説明する。
この実施例においては、ノズルヘッド１５は、可撓性のチューブ体１７によりトリガースプレーボディー１１の先端に首振り変位可能なように連結されている。この可撓性のチューブ体１７は、薬液をトリガースプレーボディー１１からノズルヘッド１５へ送る役割を有すると共に、その管壁の内部には、インサート成形等により銅線等の弾性に乏しい針金１８が内蔵されており、そのため、ノズルヘッド１５を所望の方向へ向けるためチューブ体１７を曲げたとき、チューブ体１７は、内部の針金１８の作用でその曲げられた形状を維持し得るように構成されている。
これによって、ノズルヘッド１５は自由にその向きを調整することが可能であり、例えば図４は、ノズルヘッド１５を真上方向に向けた状態を示している。
トリガースプレーボディー１１内のポンプ機構から送出された薬液は、トリガースプレーボディー１１内の流路１１ａ、チューブ体１７の内部流路１７ａ、ノズルヘッド１５内の流路１５ａを通じてノズルヘッドの先端から噴射される。
【００１８】
なお、本発明は上記の実施例に限定されるものではなく、上記の説明から当業者が容易に想到し得るすべての変更実施例を包摂するものである。
【産業上の利用可能性】
【００１９】
本発明に係るトリガースプレー装置は、上記の如く、トリガースプレーボディー１１の先端にノズルヘッド１５が広角度で首振り変位可能なように取り付けられているので、狭い空間内等でもスプレーヤーを正立状態に保ったまま、手首に無理な負担をかけることなく任意の方向に薬液を噴射でき、スプレーヤーの使用勝手を大幅に改善でき、手首等の疲労も軽減できる。
また、構造が簡単であり、従来のトリガースプレー装置用の部品に、連結部材（蛇腹体１６又はチューブ体１７）を追加するだけで完成できるので、部品面での低コスト化が可能であり、また、生産ライン等の改造も最低限で済むので、全体的な低コスト化を図ることができる。
【図面の簡単な説明】
【００２０】
【図１】本発明に係る広角度噴射角可変ノズルヘッド付きトリガースプレー装置の一実施例を、そのノズルヘッドを前方向に向けた状態において示す要部破断正面図である。
【図２】図１に示すトリガースプレー装置のノズルヘッドを上方向に向けた状態において示す正面図である。
【図３】本発明に係る広角度噴射角可変ノズルヘッド付きトリガースプレー装置のもう一つの実施例を、そのノズルヘッドを前方向に向けた状態において示す要部破断正面図である。
【図４】図３に示すトリガースプレー装置のノズルヘッドを上方向に向けた状態において示す正面図である。
【符号の説明】
【００２１】
１    トリガースプレー装置
１１  トリガースプレーボディー
１２  トリガーレバー
１３  キャップ
１４  吸上げチューブ
１５  ノズルヘッド
１６  蛇腹体
１７  チューブ体
１８  針金
【図１】
2005066497.tif 000003
【図２】
2005066497.tif 000004
【図３】
2005066497.tif 000005
【図４】
2005066497.tif 000006